(57)【要約】      （修正有）【課題】床用目地プレートのメンテナンスが不要でありながら、スムーズに他方の床躯体上をスライド移動して、床用目地プレートに大きな負担がかからず、長期間安全に使用できる床用目地装置を提供する。【解決手段】目地部２を介して設けられた左右の床躯体の一方の床躯体３の目地部側に後端部が取付けられ、先端部が左右の床躯体の他方の床躯体３の目地部側の上面にスライド移動可能に支持される床用目地プレート１１と、床用目地プレートの先端部を除く他方の床躯体と対応する部位に形成した凹部１８と、凹部内に所定間隔で位置するように床用目地プレート１１の底面に取付けられた複数個のローラ支持軸２０を備えたローラ支持体２１と、複数個のローラ支持体のローラ支持軸に、それぞれローラ支持軸２０に対し回転可能で、かつローラ支持軸２０の下端部と当接した状態で他方の床躯体の上面と当接する筒状のローラ２３とで床用目地装置１を構成する。【選択図】図２
2013194479.tif 000002
【特許請求の範囲】
【請求項１】
目地部を介して設けられた左右の床躯体の一方の床躯体の目地部側に後端部が取付けられ、先端部が該左右の床躯体の他方の床躯体の目地部側の上面にスライド移動可能に支持される床用目地プレートと、この床用目地プレートの先端部を除く前記他方の床躯体と対応する部位に形成した凹部と、この凹部内に所定間隔で位置するように前記床用目地プレートの底面に取付けられた複数個のローラ支持軸を備えたローラ支持体と、この複数個のローラ支持体のローラ支持軸に、それぞれ該ローラ支持軸に対し数ミリメートルの隙間を介して回転可能で、かつローラ支持軸の下端部と当接した状態で前記他方の床躯体の上面と当接する筒状のローラとからなることを特徴とする床用目地装置。
【請求項２】
ローラ支持軸は凹部内の床用目地プレートの底面に複数列で、かつ所定間隔で固定されていることを特徴とする請求項1記載の床用目地装置。
【発明の詳細な説明】
【技術分野】
【０００１】
本発明は目地部を介して設けられた左右の床躯体間を覆う床用目地装置に関する。
【背景技術】
【０００２】
従来、床用目地装置は左右の床躯体の一方の目地部側床躯体に後端部が取付けられ、先端部を他方の目地部側床躯体上に支持させた目地部の幅寸法の床用目地プレートを用い、該床用目地プレートの先端部のスライド移動を容易にできるように、他方の床躯体の目地部側の床面上に金属材製の複数個の突条を有する下地金具を設置したり、床用目地プレートの先端底面にベアリングを用いた複数個のローラを設置している。
【０００３】
しかしながら、このような床用目地装置は床用目地プレートに大きな荷重が加わると、該床用目地プレートの下地金具と接触する先端部の抵抗が大きくなってスムーズにスライド移動できないという欠点があるとともに、後端部に大きな負担がかかるという欠点があった。
【０００４】
また、複数個のローラを用いるものはベアリングへの給油等のメンテナンスが必要であるという欠点があった。
【先行技術文献】
【特許文献】
【０００５】
【特許文献１】特許第３４２０１６０号公報
【発明の概要】
【発明が解決しようとする課題】
【０００６】
本発明は以上のような従来の欠点に鑑み、床用目地プレートの先端部をメンテナンスが不要でありながら、スムーズに他方の床躯体上をスライド移動して、床用目地プレートの後端部に大きな負担がかからないようにして、損傷するのを効率よく阻止し、長期間安全に使用することができる床用目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は目地部を介して設けられた左右の床躯体の一方の床躯体の目地部側に後端部が取付けられ、先端部が該左右の床躯体の他方の床躯体の目地部側の上面にスライド移動可能に支持される床用目地プレートと、この床用目地プレートの先端部を除く前記他方の床躯体と対応する部位に形成した凹部と、この凹部内に所定間隔で位置するように前記床用目地プレートの底面に取付けられた複数個のローラ支持軸を備えたローラ支持体と、この複数個のローラ支持体のローラ支持軸に、それぞれ該ローラ支持軸に対し数ミリメートルの隙間を介して回転可能で、かつローラ支持軸の下端部と当接した状態で前記他方の床躯体の上面と当接する筒状のローラとで床用目地装置を構成している。
【発明の効果】
【０００９】
以上の説明から明らかなように、本発明にあっては次に列挙する効果が得られる。
（１）請求項１によって、床用目地プレートの先端部を複数個のローラ支持体のローラ支持軸に回転可能に取付けられた筒状のローラが他方の床躯体の上面を転動するので、床用目地プレートの先端部をスムーズにスライド移動させることができる。
（２）前記（１）によって、筒状のローラはローラ支持体のローラ支持軸と数ミリメートルの隙間を介して取付けられているので、従来のベアリングを用いるローラのように、ベアリングにオイルを注入したりする給油等のメンテナンス作業が不要で、長期間安全に使用することができる。
（３）前記（１）により、床用目地プレートの先端部を除く他方の床躯体と対応する部位に凹部を形成し、該凹部に筒状のローラを備える複数個のローラ支持体を取付けているので、構造が簡単で、容易に実施することができる。
（４）請求項２も前記（１）〜（３）と同様な効果が得られるとともに、床用目地プレートを他方の床躯体の上面に安定状態で位置させることができる。
【図面の簡単な説明】
【００１０】
【図１】本発明を実施するための第１の形態の平面図。
【図２】図1の２−２線に沿う断面図。
【図３】本発明を実施するための第１の形態の床用目地プレートの説明図。
【図４】本発明を実施するための第１の形態の地震で目地部が狭くなった動作説明図。
【図５】本発明を実施するための第１の形態の地震で目地部が広くなった動作説明図。
【図６】本発明を実施するための第１の形態の地震で異なる前後方向に揺れ動いた動作説明図。
【図７】本発明を実施するための第２の形態の平面図。
【図８】図7の８−８線に沿う断面図。
【図９】本発明を実施するための第２の形態の床用目地プレートの底面図。
【図１０】本発明を実施するための第３の形態の平面図。
【図１１】図１０の１１−１１線に沿う断面図。
【図１２】図１０の１２−１２線に沿う断面図。
【発明を実施するための形態】
【００１１】
以下、図面に示す本発明を実施するための形態により、本発明を詳細に説明する。
【００１２】
図１ないし図６に示す本発明を実施するための第１の形態において、１は目地部２を介して設けられた左右の床躯体３、３間に、地震の揺れ動きを吸収できるように設置される本発明の床用目地装置で、この床用目地装置1は前記左右の床躯体３、３の一方の壁面4に開口部５を有する一方の床躯体３の目地部側上端部に形成されたガイドレール取付凹部6と、このガイドレール取付凹部６に固定的に取付けられた上部が開口するチャンネル状のガイドレール7と、このガイドレール7の内底面に設けられた複数個のローラ8と、この複数個のローラ8に載置され、かつ前記ガイドレール7に沿ってスライド移動するＩ形鋼形状のレール9と、このレール9の前記壁面4の開口部５と対応する部位に後端部が複数本のビス１０で固定され、先端部が前記左右の床躯体３、３の他方の床躯体３に目地部２の幅寸法Ｌ以上の幅寸法だけ支持される床用目地プレート１１と、この床用目地プレート１１の両側部の前記他方の床躯体３に設けられた側壁３ａ、３ａと、前記床用目地プレート１１の両側部および、該床用目地プレート１１より外方へ突出する、前記レール９に取付けられたＬ字状の手摺１２、１２と、前記床用目地プレート１１の先端部が位置する前記他方の床躯体３の目地部側上面に敷設された鋼板製の下地レール１３と、前記壁面４の開口部５が形成された部位の一方の床躯体３の上面に、該開口部５側が前記床用目地プレート１１の後端部の高さとほぼ同じ高さで、順次該一方の床躯体３の上面位置となるように傾斜面１４に形成された傾斜台１５とで構成されている。
【００１３】
前記床用目地プレート１１は長方形状浅皿状の床用目地プレート本体１６と、個の床用目地プレート本体１６の先端部に形成された先端部が順次前記他方の床躯体３の上面とほぼ同じ高さになるように上面が傾斜面１７に形成され、かつ該床用目地プレート１本体１６の底面が凹部１８となる先端傾斜台１９と、前記他方の床躯体３の上面と対応する前記床用目地プレート本体１６の凹部１８に三列で、所定間隔で位置するように固定されたローラ支持軸２０を備える複数個のローラ支持体２１と、この複数個のローラ支持体２１のローラ支持軸２０に、それぞれ該ローラ支持軸２０に対して数ミリメートルの隙間２２を介して回転可能で、かつ該ローラ支持軸２０の下端部と当接した状態で前記他方の床躯体３の下地レール１３の上面と当接する筒状のローラ２３と、前記床用目地プレート本体１６内に充填された、必要に応じて上部にタイル等の化粧板が配置されるモルタルやコンクリート２４とで構成されている。
【００１４】
上記構成の床用目地装置１は、通常時には一方の床躯体３の壁面４の開口部５と他方の床躯体３との間の目地部２は、床用目地プレート１１で覆われ、通行できるようになっている。
【００１５】
地震で、図４に示すように目地部２が狭くなるように一方の床躯体３と他方の床躯体３とが揺れ動くと、床用目地プレート１１の先端部が他方の床躯体３の上面である下地レール１３上をスライド移動する。
【００１６】
このスライド移動は床用目地プレート１１の底面のローラ支持体２１のローラ支持軸２０に回転可能に取付けられた筒状のローラ２３が下地レール１３上を転動して行なうので、スムーズにスライド移動する。また、ローラ支持軸２０と筒状のローラ２３との間に数ミリメートルの隙間２２があるので、メンテナンスが不要で、長期間使用できる。
【００１７】
このため、通常時と同様に床用目地プレート１１上を走行することができる。
【００１８】
地震で、図５に示すように目地部２が広くなるように一方の床躯体３と他方の床躯体３とが揺れ動くと、床用目地プレート１１の先端部が他方の床躯体３の上面である下地レール１３上をスライド移動して、その揺れ動きを吸収する。
【００１９】
この時も前述と同様に筒状のローラ２３が下地レール１３上を転動して、スムーズにスライド移動する。
【００２０】
地震で、異なる前後方向に一方の床躯体３と他方の床躯体３とが揺れ動くと、図６に示すように床用目地プレート１１の後端部がガイドレール７に沿って、レール９が前後方向にスライド移動して、その揺れ動きを吸収することができる。
【００２１】
この時、Ｌ字状の手摺１２、１２は床用目地プレート１１と一体になって動くため、壁面４の開口端部５ａとの間がＬ字状の手摺１２、１２で覆われ、開口が生じることなく、安全に使用することができる。
【００２２】
[発明を実施するための異なる形態]
次に、図７ないし図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２３】
図７ないし図９に示す本発明を実施するための第２の形態において、前記本発明を実施するための第１の形態と主に異なる点は、床用目地プレート本体１６の凹部１８の、該床用目地プレート本体１６の先端部側に所定間隔で筒状のローラ２３が取付けられた前部側のローラ支持体２１と、前記他方の床躯体３の目地部側に位置する前記凹部１８に筒状のローラ２３が取付けられたローラ支持体２１と、このローラ支持体２１と前記前部側のローラ支持体２１との間の荷重を支持する筒状のローラ２３が取付けられた中央部のローラ支持体２１とを所定間隔に配置した床用目地プレート１１Ａを用いた点で、このような床用目地プレート１１Ａを用いて構成した床用目地装置１Ａにしても、前記本発明を実施するための第１の形態と同様な作用効果が得られる。
【００２４】
図１０ないし図１２に示す本発明を実施するための第３の形態において、前記本発明を実施するための第１の形態と主に異なる点は、床用目地プレート本体１６の後端両側部に下方へ突出し、一方の床躯体３の目地部側端部に設置したガイド筒２５、２５に係合される係合ピン２６、２６を固定した床用目地プレート１１Ｂを用いるとともに、該床用目地プレート１１Ｂの両側部に手摺１２Ａ、１２Ａを固定した点で、このように構成した床用目地装置１Ｂにしても、前記本発明を実施するための第１の形態と同様な作用効果が得られる。
【００２５】
なお、床用目地プレート本体１６の先端部と後端部にヒンジ部材を介装して、先端部が上下方向に回動するカバープレートを取付けたものを用いても、同様な作用効果が得られる。
【産業上の利用可能性】
【００２６】
本発明は目地部を介して設けられた左右の建物、道路等の左右の躯体等の床躯体間を覆う床用目地装置を製造する産業で利用される。
【符号の説明】
【００２７】
１、１Ａ、１Ｂ：床用目地装置、２：目地部、
３：床躯体、        ４：壁面、
５：開口部、        ６：ガイドレール取付凹部、
７：ガイドレール、      ８：ローラ、
９：レール、        １０：ビス、
１１、１１Ａ、１１Ｂ：床用目地プレート、
１２、１２Ａ：手摺、    １３：下地レール、
１４：傾斜面、      １５：傾斜台、
１６：床用目地プレート本体、  １７：傾斜面、
１８：凹部、        １９：先端傾斜台、
２０：ローラ支持軸、    ２１：ローラ支持体、
２２：隙間、        ２３：筒状のローラ、
２４：モルタルやコンクリート、２５：ガイド筒、
２６：係合ピン。
【図１】
2013194479.tif 000003
【図２】
2013194479.tif 000004
【図３】
2013194479.tif 000005
【図４】
2013194479.tif 000006
【図５】
2013194479.tif 000007
【図６】
2013194479.tif 000008
【図７】
2013194479.tif 000009
【図８】
2013194479.tif 000010
【図９】
2013194479.tif 000011
【図１０】
2013194479.tif 000012
【図１１】
2013194479.tif 000013
【図１２】
2013194479.tif 000014